(57)【要約】【課題】　少なくとも１つのスタッドを備えたシューズ、特にサッカーシューズにおいて、最も不利な条件下でさえ、スタッドをシューズから確実かつ迅速に取り外すことができるようにする。また、そのようなスタッドが、意図せずにゆるむことのないようにする。【解決手段】　第１の固定手段（３，４，５，６）を持つ少なくとも１つのスタッド（１）、および第２の固定手段（２１，２２，２４）を持つ、スタッド受容手段（２０）を少なくとも１つ備える。第１（３，４，５，６）および／または第２の固定手段（２１，２２，２４）が、スタッド（１）を受容手段（２０）に取外可能に固定するように磁気的に操作できる。【選択図】　　　図１
2004097818.tif 000002
【特許請求の範囲】
【請求項１】
シューズに取外可能に固定するためのスタッドであって、
　ａ．　スタッド本体、および
　ｂ．　シューズの第２の固定手段と相互作用する、前記スタッド本体に配置された第１の固定手段、
を備え、
　ｃ．　前記第１の固定手段が磁気的に操作できる、
ことを特徴とするスタッド。
【請求項２】
前記第１の固定手段が、前記シューズのソールに留め位置で前記スタッドを留めるための少なくとも１つの留め具、および前記留め位置に前記スタッドを係止するための少なくとも１つの磁気作動性係止具を有することを特徴とする請求項１記載のスタッド。
【請求項３】
前記留め具が、前記ソールの第２の固定手段中に挿入されるように設けられ、該留め具を回転により前記留め位置にもっていくことができることを特徴とする請求項２記載のスタッド。
【請求項４】
前記少なくとも１つの磁気作動性係止具が磁気可動ピンを含むことを特徴とする請求項２または３記載のスタッド。
【請求項５】
前記磁気可動ピンの背後にスプリング部材が配置されており、前記留め具が一旦留め位置に入ったら、前記スプリング部材が前記第２の固定手段の対応する凹部中にピンを動かすことを特徴とする請求項４記載のスタッド。
【請求項６】
前記磁気可動ピンが、開始位置で前記スタッド本体を超えて延在し、留め位置にある前記スタッドを解放するための磁場の影響下では該スタッド本体中に引っ込められることを特徴とする請求項５記載のスタッド。
【請求項７】
前記少なくとも１つの留め具が、前記スタッド本体から上方に延在するＴ形突出部を有することを特徴とする請求項４から６いずれか１項記載のスタッド。
【請求項８】
前記Ｔ形突出部および前記磁気可動ピンが、前記スタッド本体の頂面に連続して配置されていることを特徴とする請求項７記載のスタッド。
【請求項９】
シューズであって、
　ａ．　第１の固定手段を持つ少なくとも１つのスタッド、および
　ｂ．　第２の固定手段を持つ、少なくとも１つのスタッド受容手段、
を備え、
　ｃ．　前記第１および／または第２の固定手段が、前記スタッドを前記受容手段に取外可能に固定するように磁気的に操作できる、
ことを特徴とするシューズ。
【請求項１０】
前記第１および／または第２の固定手段が、前記スタッドを留め位置で前記受容手段に固定するための少なくとも１つの留め具、および前記スタッドを留め位置で係止するための少なくとも１つの磁気作動性係止具を備えることを特徴とする請求項９記載のシューズ。
【請求項１１】
前記少なくとも１つの留め具が、第１の位置で対応する受容手段中に挿入されるように設けられ、該留め具を回転により前記留め位置にもっていくことのできることを特徴とする請求項１０記載のシューズ。
【請求項１２】
前記係止具が磁気可動ピンを有することを特徴とする請求項１０または１１記載のシューズ。
【請求項１３】
前記磁気可動ピンの背後にスプリング部材が配置され、前記留め具が一旦前記留め位置に入ったら、前記スプリング部材が前記ピンを前記第２の固定手段の対応する凹部中に動かすことを特徴とする請求項１２記載のシューズ。
【請求項１４】
前記磁気可動ピンが、前記留め位置にある前記スタッドを解放するための磁場の影響下で引っ込められることを特徴とする請求項１３記載のシューズ。
【請求項１５】
前記少なくとも１つの留め具がＴ形突出部を有することを特徴とする請求項１２から１４いずれか１項記載のシューズ。
【請求項１６】
前記受容手段が開口部として設けられ、該開口部の側部の縁が前記留め位置で前記Ｔ形突出部と係合することを特徴とする請求項１５記載のシューズ。
【請求項１７】
前記凹部が前記開口部の延長部として設けられていることを特徴とする請求項１６記載のシューズ。
【請求項１８】
前記開口部が前記受容手段に配置され、前記Ｔ形突出部および前記磁気可動ピンが前記スタッドに設けられていることを特徴とする請求項１７記載のシューズ。
【発明の詳細な説明】
【技術分野】
【０００１】
　本発明は、シューズ、特に、サッカーシューズに取外しできるように固定されたスタッド、およびそのようなスタッドを少なくとも１つ備えたシューズに関する。
【背景技術】
【０００２】
　多くの様々な種類のシューズについて、グラウンドへのグリップを改善するためにスタッドが用いられている。よく知られている実例に、サッカーシューズやゴルフシューズがある。これらのシューズでは、スタッドが柔らかな芝生を突き通り、それによって、シューズがグラウンドで意図せずに滑るのを防ぐ。
【０００３】
　スタッドをシューズに取外しできるように固定することは、いくつかの理由のために望ましい。一方で、特別に形成されたスタッドを使用することにより、異なる状況（乾燥したグラウンドまたは湿ったグラウンド）に適応することができる。他方で、スタッドが磨耗したときに、シューズ全体を交換する必要がない。サッカーシューズの場合には、円柱形ネジ式スタッドが一般的である。このスタッドは、シューソールの対応するネジ溝のある開口部にねじ込まれるネジ山を持つ延在部を有する。
【０００４】
　しかしながら、高品質のスタッド、特に、サッカーシューズ用のものは、半径方向に対称ではなく、長楕円形状を有し、そのスタッドの向きはシューソールのそれぞれの位置にとって最適化されている。そのようなスタッドはねじ込みにより固定することはできない。さらに、サッカーの試合やゴルフトーナメントなどの最中に、変化するグラウンドの状況に適応するために、シューズの持つスタッドの全てを迅速に交換すべき場合、ネジ式連結は非常に時間がかかる。
【０００５】
　したがって、上述した難点を克服するために、従来技術において、異なる多くの手法が提案された。この点に関して、ヒールのような他のソール構成部材と比較してスタッドの特別な性質を考慮する必要がある。スタッドやその受容手段の容積が非常に小さいために、例えば、特許文献１または特許文献２から知られているような、ヒールの取外し可能な取付けのための解決策を、取外可能に固定されたスタッドに転用することはまず不可能である。
【０００６】
　スタッドを迅速に固定するための効果的な手法が、本出願人の特許文献３に開示されている。そのスタッドは、この従来技術によれば、スタッドの背面に配置されたボルトを数回転させるだけで移動できる可動フックを有する。このフックは、ソールの対応する凹部に噛み合い、確実な嵌め込み状態でスタッドをソールにしっかりと固定する。
【０００７】
　ねじ込みを用いない取外可能なスタッドのさらなる実例が特許文献４に開示されている。ボールを有するスプリング機構が、スタッドをソールにある受容手段内部に係止する。取り外すには、特別の工具をスタッドの開口部に挿入して、スタッドをスプリング機構から引き離す。
【０００８】
　理論上は、論じられている構造により、ねじ込み式スタッドと比較して、全てのスタッドの交換時間が実質的に減少するかもしれないが、実際に遭遇する状況は極めて異なることが非常に多い。例えば、泥の付着により、それぞれの機構の操作が難しくなってしまい、今まで迅速な交換が常にできているわけではない。
【０００９】
　さらに、取外しできるスタッドの公知の構成では、スタッドが意図せずにゆるくなったり、さらにはソールから外れることが、度々観察されてきた。これが、上述したスタッド手段がこれまで受け入れられていない理由の１つである。
【特許文献１】米国特許第３９７７０９５号明細書
【特許文献２】米国特許第５１３３１３８号明細書
【特許文献３】独国特許発明第１９８５０４４９号明細書
【特許文献４】米国特許第６２６０２９２号明細書
【発明の開示】
【発明が解決しようとする課題】
【００１０】
　したがって、本発明の課題は、最も不利な条件下でさえ、シューズから確実かつ迅速に取り外すことができると同時に、従来技術の上述した欠点を克服するために、意図せずにゆるむことのないスタッド、特にサッカーシューズ用のスタッド、およびそのようなスタッドを少なくとも１つ備えたシューズを提供することにある。
【課題を解決するための手段】
【００１１】
　第１の態様によれば、本発明は、スタッド本体と、シューズの第２の固定手段と相互作用するスタッド本体に配置された第１の固定手段とを備え、第１の固定手段が磁気的に作動可能なものである、シューズ、特にサッカーシューズに取外可能に固定できるスタッドに関する。
【００１２】
　本発明による第１の固定手段の磁気的作動には、スタッドへの直接的な接触は必要ない。公知の構造とは対照的に、本発明による概念的に完全に新規な手法は、工具等とのどのような機械的係合も不可能にする硬い泥の層によってスタッドが覆われた場合でさえも、作動する。スタッドを取り外すまたは固定するための、磁場の形態にある作動手段は、どのような泥の蓄積も貫通し、それによって、上述した難点の全てを簡潔に克服する。
【００１３】
　好ましい実施の形態において、第１の固定手段は、スタッドを留め位置でシューズのソールに留める少なくとも１つの留め具と、スタッドを留め位置で係止する少なくとも１つの磁気作動性係止具とを有する。少なくとも１つの留め具により、スタッドとシューズとの間の安定な連結が確実になり、これにより、機械的負荷が永久的に生じることがない。これとは反対に、磁気作動性係止具は、好ましくは、留め具が留め位置から意図せずに解放されないように働く。これにより、公知のスタッドの設計とは対照的に、グラウンドでシューズをピボット運動のように回転させた場合でさえも、スタッドがゆるくなったり、ソールから外れたりするのを確実に防ぐことができる。この留め具は、好ましくは、シューズの第２の固定手段中に挿入でき、回転により留め位置にもっていくことができるように提供される。
【００１４】
　少なくとも１つの磁気作動性係止具は、好ましくは、磁気可動ピンを備え、このピンは、好ましくは、第２の固定手段にある対応凹部と留め位置で係合するようにスプリング部材の作用下にある。磁気可動ピンは、好ましくは、開始位置ではスタッド本体から延在し、留め位置にあるスタッドを解放するために磁場の影響下でスタッド本体中に引つ込めることができる。
【００１５】
　さらなる態様によれば、本発明は、第１の固定手段を持つ少なくとも１つのスタッドおよび第２の固定手段を持つ少なくとも１つのスタッド受容手段を備え、第１および／または第２の固定手段が、スタッドをスタッド受容手段に取外可能に固定するように磁気的に作動するものである、シューズ、特にサッカーシューズに関する。
【００１６】
　したがって、磁気作動は、本発明によれば、シューズの内側、またはスタッドの内側、もしくは装置全体の両方の部分で行われても差し支えない。
【００１７】
　第１および／または第２の固定手段は、好ましくは、スタッドを留め位置でスタッド受容手段に留める少なくとも１つの留め具と、スタッドを留め位置で係止する少なくとも１つの磁気作動性係止具とを備える。少なくとも１つの留め具は、好ましくは、第１の位置で、対応する受容要素中に挿入でき、回転により上述した留め位置にもっていけるように提供される。
【００１８】
　本発明によるスタッドおよびシューズのさらなる改良が、従属請求項の主題である。
【発明を実施するための最良の形態】
【００１９】
　以下、本発明の好ましい実施の形態を、サッカーシューズ用のスタッドを固定する実施例を参照して説明する。しかしながら、本発明は、取外しできるスタッドまたは特定の形状を持つ同様の取外しできる部材を備えた全てのタイプのシューズ、例えば、ゴルフシューズ、短距離走用シューズ、ラグビーシューズ、野球用スパイク、アメリカンフットボールシューズ、またハイキングシューズ、登山靴等に使用してもよいことが理解されるであろう。
【００２０】
　図１は、装置全体の好ましい実施の形態を示す。スタッド１は、ソール１０に取外可能に固定されている。図１はソール１０を一部のみ示している。図１に示すソール１０の部分は、相当するシューズのそれぞれの使用分野に要求されるような、任意の位置に配置されていてよい。
【００２１】
　ソール１０は、いくつかの部材を備えた、スタッド１に対応するスタッドのための受容手段２０を少なくとも１つ有する。ソール１０中の開口部２１の上には、対応する開口部を持つ強化板２２が配置されている。強化板２２は、接着、リベット留め、ネジ留め、クリップ留め(clipping)または同様の技法により、ソール１０に連結することができる。さらに、追加の労力をかけないで確実に相互連結するために、ソール１０の製造中に強化板２２の周りにソール材料を射出成形することが考えられる。図１に示すように、強化板２２の後端で、ソール１０の対応する凹部１１に係合する、強化板２２の典型的な曲げ部２４または他の三次元突出部により、ソール１０への相互連結をさらに支持することができる。その上、ソール１０の下側（図示せず）にさらなる強化板（図示せず）を使用することも考えられる。
【００２２】
　スタッド１はスタッド本体２を備え、この本体の形状は使用目的の分野に依存する。例えば、硬質の乾燥表面用のスタッドは、尖っていて、縁が鋭くなっていてもよい。可能性のある材料としては、プラスチックや適切な金属、合金やセラミックが挙げられる。
【００２３】
　スタッド１は、その上側に、好ましい実施の形態においては、円柱支持部４を持つ実質的にＴ形の突出部３として設けられている、少なくとも１つの留め具３，４を備えている。固定された状態において、Ｔ形突出部の側方に張り出した端部は開口部２１の縁、より正確には、上記のように配置した強化板２２の開口部の縁と係合し、それによって、スタッド１をソール１０に留める。開口部２１の形状および円柱支持部４の寸法が実質的に正確に一致することにより、水平方向の有効力の下での動きが妨げられる。Ｔ形突出部３は、ソール１０に対してスタッド１が垂直に動く余地を与えない。全体で、スタッド１への安定した留め付けが行われる。さらに、円柱支持部４は、シューズでのスタッド１の位置を規定し、それによって、迅速な取付けが容易になる。少なくとも１つの留め具３，４に加え、スタッド１は、スタッド本体２の凹部５に配置される、可動ピン７として設けられた磁気係止具を備えている。ピン７は好ましくは円筒状である。しかしながら、他の形状も可能である。いずれにせよ、ピン７は、以下に説明するように、係止機能を提供するように十分に安定でなければならない。他方で、スタッド本体２の機械的安定性を弱めないように、大き過ぎるべきではない。ピン７および留め具３，４の構成は、スタッド中に設けられる容積の形状に従う。図１に示すように、長楕円のスタッド１の場合、スタッド本体２の上側に連続して配置することが好ましい。
【００２４】
　図１の分解図に示したように、スプリング部材６、例えば、コイルバネがピン７の下に設けられている。しかしながら、小さな弾性部材等を使用することも考えられる。スプリング部材６は、ピンの上端８が開始位置とスタッドの固定状態でスタッド本体２の頂面を超えるようにピン７を上方に押す。
【００２５】
　スタッド本体２は、その上側に、好ましくはいくつかの機能を持つガスケット２３を備える。一方で、このガスケットは、砂や泥が入り込んでスタッドのこれらの構成部材の機能を損なわないように、留め具３，４および係止具７を密閉する。他方で、ガスケット２３は、スプリング部材６がピン７を、スタッド本体２の凹部５から意図したよりも押し出さないようにする。この目的のために、ガスケット２３の対応する開口部２５は、ピン７の上側のより狭い上端８のみが通過できるような寸法を持つ（図３ｂ参照）。
【００２６】
　図１に点線で示したように、ガスケット２３は、スタッド本体２の上側に永久的に固着される。これは、接着、オーバーインジェクション(over-injection)または他のいずれの技法により行ってもよい。ガスケットは、多くの異なる材料から製造しても差し支えない。プラスチックが金属と同様に可能性のある選択肢である。適切な材料を選択することにより、ガスケット２３は、スタッド本体２とソール１０との間の摩擦を減少させて、以下に説明するように、スタッド１の取付け中の回転が容易になるであろう。
【００２７】
　ピン７は、外部の磁場の影響下で凹部５の方向に引っ込めることができるように磁性材料から製造される。このピンは、常磁性材料または反磁性材料のいずれから製造してもよい、すなわち、外部の磁場により引き付けられるか、または反発するかのいずれかである。さらに、外部の磁場の向きに応じて引き付けられるかまたは反発する、ピン７用の小さな永久磁石を用いることが考えられる。最後の代替案では製造コストが増加するが、同じ外部の磁場によってピンにより大きな力が作用することになる。
【００２８】
　その結果、磁場によって、スタッドの留め具３，４およびピン形係止具７からなる固定手段を、直接触れずに、操作することができる。従来技術のスタッドでは、スタッドを固定するおよび／または取り外すために機械的な係合が常に必要であったが、本発明によれば、この作業は磁場により行われる。
【００２９】
　図１に論じた好ましい実施の形態において、磁気作動性固定手段は、スタッド１自体の内部に構成されている。しかしながら、上述した留め具および／または係止具を鏡像配置でソール１０の受容手段２０中に組み込むこともできる。この場合、Ｔ形突出部３等が、ピン７と同様に、ソール１０から下方に延在し、スタッド本体２の対応する凹部および受け口に係合する。留め具３，４がスタッド本体２に配置され、係止具７がソール１０に配置されている、もしくはその逆である、混合態様も考えられる。
【００３０】
　図１は、磁場を提供するための磁石３０の例を上述したスタッド構造の下方に示している。磁石３０は、永久磁性材料から全てが製造されていても差し支えない。あるいは、外殻３２により囲まれた、図１に示すような磁性コア３１を備えていてもよい。さらに、例えば、電池により作動する、ソレノイドを使用することも考えられる。しかしながら、現在では、希土類元素を使用して高磁場を持つように製造できる簡素な永久磁石を使用することが現在好ましい。
【００３１】
　外殻３２はどのような任意の形状を有していても差し支えない。磁性コア３１は、例えば、アスリートが常に携行できるように、プラスチック製のキーホルダに組み込むこともできる。図１に示した実施の形態において、外殻３２は、丸みのために手に馴染むような形状である。外殻は、その上側に、スタッド１に対応する形状を持つ凹部３３を備える。これにより、ピン７の近くに調節された様式で磁石３０をもっていくことができ、したがって、ピンクを上述したように引っ込められる。磁気作動性固定手段をソールに組み込む場合、磁石３０は、磁性ピンへの意図的な作用のために対応して改変された形状を持つ。ソール１０にあるいくつかのスタッド１を同時に交換するために、それぞれの固定手段が一回で同時に操作できるように、ソールのスタッドの内のいくつかまたは全てに同時に作用する磁気工具を提供することも考えられる。
【００３２】
　以下、図２ａから５を参照して、図１のスタッドの固定および取外しを説明する。
【００３３】
　図２ａ〜ｃは、第１の固定段階を、斜視図（図２ａ）、横断面図（図２ｂ）および平面図（図２ｃ）で示している。最初に、スタッド１を、ソール１０の最終配置に対して約９０°だけ回転させて、ソール１０の開口部２１中に挿入する。この向きのために、Ｔ形突出部３の側方に張り出した端部が長楕円の開口部２１を貫通できる。同時に、ピン７は、ソール１０により、スプリング部材６の力に逆らってスタッド本体２の凹部５中に押し込まれる。図２ｃは、第１の固定段階の終わりに下からソールに接触するピン７の上端８を点線で示している。Ｔ形突出部３は、この状況で、開口部２１の長手方向に対して平行である。
【００３４】
　図３ａ〜３ｃは、第２の固定段階を示している。約９０°回転させることにより、スタッドを正しい方向に向ける。これと同時に、Ｔ形突出部の側方に張り出した端部が、強化板２２（図示せず）の縁に係合し、この位置にあるスタッドをソール１０にしっかりと留める（図３ｃ参照）。ピン７は、これまではスタッド本体２中に押し込まれていたが、上端８が開口部２１の後端にある凹部に係合するように（図１参照）、スプリング部材６の影響下で上方に押し出される（図３ｂ参照）。その結果、ピン７は意図せぬ回転に対してスタッド１を係止し、それによって、スタッドを意図せずに外れないように確保する。ピン７のための凹部は、開口部２１の一部である必要はなく、ソール１０に異なる様式で設けても差し支えない。
【００３５】
　図２ｃ，３ｃの平面図から分かるように、シューソール１０の開口部２１（および強化板２２の対応する開口部）は、非対称であり、一端のみに、ピン７の上端８と係合するように十分に延在する丸み部を有する。開口部２１の反対側は、好ましくは、矩形となっており、したがって、Ｔ形突出部３の形状と一致する。こちらの端部では、上端８にとって十分な空間がなく、したがって、スタッド１が誤ったアライメントで係止されることがない。それゆえ、スタッド１のソール１０での向きがはっきりと決定される。
【００３６】
　その結果、スタッドは、簡単な挿入と回転の運動により、数秒でソール１０にしっかりと係止することができる。
【００３７】
　図４ａは、スタッドを取り外すための第１の段階を示している。凹部３３を持つ磁石３０をスタッド１の上に案内する。したがって、ピン７は磁場にさらされ、その上端８がソール１０の凹部から引っ込められる。ここで、スタッドを自由に回転させることができる。これは、まさに図４ｂに示された状況である。
【００３８】
　既に説明してきたように、取外しのためのこの第１の工程は、スタッド１が任意の磁場に十分に近くにもっていかなければならないだけであるので、シューズと直接接触せずに行うことができる。しかしながら、凹部３３を持つ磁石３０を用いた本発明の好ましい実施の形態では、スタッド１を取り外すための続いての第２の工程が実施し易くなる。
【００３９】
　図５に示す、スタッドを取り外すための第２の工程において、スタッド１を約９０°だけ回転させる。ピン７は磁場の影響のために引っ込められているので、係止位置からのそのような回転には、ごくわずかな力しか必要ない。スタッド１が泥や土のためにソール１０に付着している場合、外殻３２を持ち磁石３０を使用することにより、大きいトルクを加えることができ、これにより、スタッド１を動かせないことがなくなる。その結果、スタッド１を簡単に開口部２１から取り外すことができる。
【００４０】
　本発明の重大な利点は、どのような機械的接触も必要としない、係止具７への磁気作用である。それゆえ、特別な工具を挿入するための開口部またはスタッド１の外面の係合点が必要ない。スタッド１が酷使された末に磨耗したり、泥がこびりついたりしたとしても、磁場により、問題なく、スタッド１の内部にピン７を引っ込められ、それによって、スタッド１を容易に取り外すことができる。
【図面の簡単な説明】
【００４１】
【図１】本発明の好ましい実施の形態の分解図
【図２】図１の好ましい実施の形態におけるスタッドを固定するための第１の工程を示す概略図
【図３】図１の好ましい実施の形態におけるスタッドを固定するための第２の工程を示す概略図
【図４】図１の好ましい実施の形態におけるスタッドを取り外すための第１の工程を示す概略図
【図５】図１の好ましい実施の形態におけるスタッドを取り外すための第２の工程を示す概略図
【符号の説明】
【００４２】
　　１　スタッド
　　２　スタッド本体
　　３　Ｔ形突出部
　　４　円柱支持部
　　５　凹部
　　７　磁気可動ピン
　　１０　ソール
　　２０　受容手段
　　２２　強化板
　　２３　ガスケット
　　２４　曲げ部
　　３０　磁石
　　３２　外殻
【図１】
2004097818.tif 000003
【図２】
2004097818.tif 000004
【図３】
2004097818.tif 000005
【図４】
2004097818.tif 000006
【図５】
2004097818.tif 000007